(57)【特許請求の範囲】
【請求項１】
画像形成部と，
内部にシートを積載するとともに装置本体に対して挿抜方向に挿抜可能なシートカセットと，
前記シートカセットが前記挿抜方向中の奥側の動作位置にある場合に限り，前記シートカセットから取り出されたシートを，前記挿抜方向と平行な回転軸回りに回転する回転部材と，前記回転部材に接触する分離部材とで挟むことにより１枚ずつ分離して送り出し方向に送り出して前記画像形成部に供給するシート供給部とを有する画像形成装置において，
前記回転部材と前記分離部材との一方（以下，「第１送出部材」という）が，他方（以下，「第２送出部材」という）に対して近接または離隔する方向（以下，「接離方向」という）について固定して配置されるとともに，前記挿抜方向には移動可能に設けられており，
前記第２送出部材が，前記接離方向について可動であり，
前記シート供給部は，
前記第２送出部材を前記第１送出部材に近接させる向きに付勢しつつ保持するとともに，前記第２送出部材が前記第１送出部材に接触する接触位置と，前記第２送出部材が前記第１送出部材から離隔する離隔位置との間で移動可能であり，かつ，前記第２送出部材ごと前記挿抜方向と平行に移動可能な第１フレーム部材と，
前記シートカセットが動作位置から前記挿抜方向の前向きに引き出し操作されると前記シートカセットに押されて前記第１フレーム部材を前記接触位置から前記離隔位置に移動させる圧接解除部材と，
前記第１フレーム部材を前記挿抜方向の前向きに付勢する第１付勢部材とを有し，
前記シートカセットは，
前記挿抜方向の前向きに引き出し操作されることにより前記圧接解除部材を押す離隔操作部と，
前記挿抜方向の奥向きに押し込まれることにより，前記第１フレーム部材を前記第１付勢部材の付勢に抗して前記挿抜方向の奥向きに押し込む押し込み操作部とを有し，
前記シートカセットが動作位置にある状態では，前記離隔操作部と前記圧接解除部材とが接触しておらず，
前記シートカセットの動作位置からの引き出し操作の途中で前記離隔操作部が前記圧接解除部材を押すことを特徴とする画像形成装置。
【請求項２】
請求項１に記載の画像形成装置において，
前記挿抜方向と平行に移動可能に設けられた第２フレーム部材を有し，
前記第１フレーム部材は，前記第２フレーム部材に対して，
前記挿抜方向と平行な方向には固定され，かつ，前記接離方向には移動可能に設けられており，
前記押し込み操作部は，前記第２フレーム部材を押し込むものであることを特徴とする画像形成装置。
【請求項３】
請求項１または請求項２に記載の画像形成装置において，
前記圧接解除部材は，前記第１フレーム部材に対して，前記挿抜方向と平行に移動可能に設けられており，
前記圧接解除部材を前記第１フレーム部材に対して前記挿抜方向の奥向きに付勢する第２付勢部材と，
装置本体に設けられ，前記圧接解除部材の前記第２付勢部材の付勢による移動範囲を制限するストップ部材とを有することを特徴とする画像形成装置。
【発明の詳細な説明】
【技術分野】
【０００１】
本発明は，複写機やプリンタ等の画像形成装置に関する。さらに詳細には，挿抜可能に装着されて使用されるシートカセットを有し，そこからシートを１枚ずつ分離して供給し，そのシートに画像を形成する画像形成装置に関するものである。
【背景技術】
【０００２】
従来より，画像形成部にシートを供給するために，シートを積載して装置本体に挿抜されるシートカセットを有する画像形成装置がある。画像形成装置の本体側には，取り付けられたシートカセットからシートを１枚ずつ引きだすためのシート供給部が設けられている。シート供給部としては，シート束の上面に接触して上部のシートを抜き出すピックアップローラがある。さらに，ピックアップローラによって引き出されたシート（１枚とは限らない）から，上部の１枚のみを画像形成部へ供給するために，給紙ローラと分離部材との組とが設けられている。
【０００３】
例えば，シートカセットの挿抜方向とシートカセットからのシートの供給方向とが互いに直交する向きに設けられた装置がある。このような装置において，例えばジャム等によって装置が緊急停止された状態で，シートカセットを装置本体から抜き出す場合には，給紙ローラと分離部材との間に挟まれているシートの圧接を解除する必要がある。例えば，特許文献１に記載の装置では，シートカセットの片縁部に分離部材を押しのけるカム形状が形成されている。これにより，シートカセットの引き出し動作によって自動的に給紙ローラと分離部材とが離れるとされている。
【０００４】
また，特許文献２には，カセットを抜き出すための押しボタンに連動して設けられた，解除レバーを有する装置が開示されている。この文献の装置によれば，ユーザがボタンを押すことにより，解除レバーが作動し，給紙ローラと分離部材との圧接を解除するとされている。
【先行技術文献】
【特許文献】
【０００５】
【特許文献１】特開平７−２２８３６３号公報
【特許文献２】特開２０００−１６６２３号公報
【発明の概要】
【発明が解決しようとする課題】
【０００６】
しかしながら，前記した特許文献１に記載の装置では，シートカセットのカム形状と分離部材との間には，ある程度のクリアランスが設けられる。クリアランスの全くない構成とすると，ユーザにとって引き出し動作の開始と同時に分離解除のための負荷がかかるため，引き出し動作がかなり重いものとなってしまうからである。このクリアランスがあるため，引き出し開始から実際にシートが解放されるまでの間に，挟まれているシートに負荷が掛かる。それにより，シートの破損が生じるおそれがあった。また，特許文献２に記載の装置では，シートカセットの引き出しの動作に先立って，ユーザがボタンを押すことが必要であり，操作性が悪いという問題点があった。
【０００７】
本発明は，前記した従来の技術が有する問題点を解決するためになされたものである。すなわちその課題とするところは，シートカセットの挿抜方向と用紙搬送方向とが直交する方向であり，シートカセットの挿抜操作が容易であるとともに，緊急停止時のシートカセットの抜き出し動作によってもシートに負荷をかけるおそれのない画像形成装置を提供することにある。
【課題を解決するための手段】
【０００８】
この課題の解決を目的としてなされた本発明の画像形成装置は，画像形成部と，内部にシートを積載するとともに装置本体に対して挿抜方向に挿抜可能なシートカセットと，シートカセットが挿抜方向中の奥側の動作位置にある場合に限り，シートカセットから取り出されたシートを，挿抜方向と平行な回転軸回りに回転する回転部材と，回転部材に接触する分離部材とで挟むことにより１枚ずつ分離して送り出し方向に送り出して画像形成部に供給するシート供給部とを有する画像形成装置であって，回転部材と分離部材との一方（以下，「第１送出部材」という）が，他方（以下，「第２送出部材」という）に対して近接または離隔する方向（以下，「接離方向」という）について固定して配置されるとともに，挿抜方向には移動可能に設けられており，第２送出部材が，接離方向について可動であり，シート供給部は，第２送出部材を第１送出部材に近接させる向きに付勢しつつ保持するとともに，第２送出部材が第１送出部材に接触する接触位置と，第２送出部材が第１送出部材から離隔する離隔位置との間で移動可能であり，かつ，第２送出部材ごと挿抜方向と平行に移動可能な第１フレーム部材と，シートカセットが動作位置から挿抜方向の前向きに引き出し操作されるとシートカセットに押されて第１フレーム部材を接触位置から離隔位置に移動させる圧接解除部材と，第１フレーム部材を挿抜方向の前向きに付勢する第１付勢部材とを有し，シートカセットは，挿抜方向の前向きに引き出し操作されることにより圧接解除部材を押す離隔操作部と，挿抜方向の奥向きに押し込まれることにより，第１フレーム部材を第１付勢部材の付勢に抗して挿抜方向の奥向きに押し込む押し込み操作部とを有し，シートカセットが動作位置にある状態では，離隔操作部と圧接解除部材とが接触しておらず，シートカセットの動作位置からの引き出し操作の途中で離隔操作部が圧接解除部材を押すものである。
【０００９】
本発明の画像形成装置によれば，シートカセットの挿抜方向と，シートの送り出し方向と，分離部材の接離方向とが，互いに直交している。そして，シートカセットを動作位置から挿抜方向の前向きに引き出す操作を行うと，シートカセットの押し込み操作部も挿抜方向の前向きに移動する。すると，第１付勢部材の付勢によって，第１フレーム部材が押し込み操作部の移動に追随して挿抜方向の前向きに移動する。その結果，この第１フレーム部材に取り付けられた第２送出部材も同様に移動する。つまり，緊急停止時に挟まれたシートがあっても，そのシートの第１・第２送出部材に挟まれた箇所もシートカセットと同じだけ移動する。そのシートに大きな負荷をかけるおそれはない。ユーザは，単にシートカセットを引き出すだけあり，その操作は容易である。これにより，シートカセットの挿抜方向と用紙搬送方向とが直交する方向であり，シートカセットの挿抜操作が容易であるとともに，緊急停止時のシートカセットの抜き出し動作によってもシートに負荷をかけるおそれのないものとなっている。
【００１０】
さらに本発明では，挿抜方向と平行に移動可能に設けられた第２フレーム部材を有し，第１フレーム部材は，第２フレーム部材に対して，挿抜方向と平行な方向には固定され，かつ，接離方向には移動可能に設けられており，押し込み操作部は，第２フレーム部材を押し込むものであることが望ましい。
このようになっていれば，挿抜方向と平行に移動可能な第２フレーム部材によって，第１フレーム部材の挿抜方向への移動範囲が制限される。従って，第１フレーム部材自体は接離方向のみに移動するものとすることができる。そして，挿抜方向と平行な移動と接離方向の移動とをそれぞれ別々に行うことができる。
【００１１】
さらに本発明では，圧接解除部材は，第１フレーム部材に対して，挿抜方向と平行に移動可能に設けられており，圧接解除部材を第１フレーム部材に対して挿抜方向の奥向きに付勢する第２付勢部材と，装置本体に設けられ，圧接解除部材の第２付勢部材の付勢による移動範囲を制限するストップ部材とを有することが望ましい。
このようになっていれば，圧接解除部材は，ストップ部材によって制限されている範囲内で奥向きに付勢されている。つまり，第１フレーム部材がシートカセットに追随して挿抜方向の前向きに移動しても，圧接解除部材は追随しない。従って，圧接解除部材とシートカセットの離隔操作部との距離は，シートカセットを引きだした分だけ近づく。従って，シートに負担をかけることなくクリアランスが解消される。
【発明の効果】
【００１２】
本発明の画像形成装置によれば，シートカセットの挿抜方向と用紙搬送方向とが直交する方向であり，シートカセットの挿抜操作が容易であるとともに，緊急停止時のシートカセットの抜き出し動作によってもシートに負荷をかけるおそれがない。
【図面の簡単な説明】
【００１３】
【図１】本形態に係るカラープリンタの概略構成図である。
【図２】本形態に係るシート供給部の概略構成を示す平面図である。
【図３】分離搬送部の概略構成を示す側面図である。
【図４】分離搬送部を示す斜視図である。
【図５】分離搬送部を示す斜視図である。
【図６】分離搬送部を示す説明図である。
【図７】解除部と分離部との位置関係を示す説明図である。
【図８】解除部と解除キー部との位置関係を示す説明図である。
【図９】分離搬送部を示す模式図である。
【図１０】引き出し動作による分離搬送部の動きを示す模式図である。
【図１１】引き出し動作による分離搬送部の動きを示す模式図である。
【図１２】引き出し動作による分離搬送部の動きを示す模式図である。
【図１３】引き出し動作による分離搬送部の動きを示す模式図である。
【発明を実施するための形態】
【００１４】
以下，本発明を具体化した最良の形態について，添付図面を参照しつつ詳細に説明する。本形態は，電子写真方式のカラープリンタに本発明を適用したものである。
【００１５】
本発明のカラープリンタ１００は，図１に概略構成を示すように，シートに画像を形成する画像形成部２００と，その画像形成部２００にシートを供給するシート供給部１０とを有するものである。本形態の画像形成部２００は，中間転写ベルト１０１を有する，いわゆるタンデム型のものとしている。中間転写ベルト１０１は，無端状ベルト部材であり，その図中両端部がローラ１０２，１０３によって支持されている。中間転写ベルト１０１の図中下部に沿って，イエロー（Ｙ），マゼンタ（Ｍ），シアン（Ｃ），ブラック（Ｋ）の各色の作像部１０４Ｙ，１０４Ｍ，１０４Ｃ，１０４Ｋが配置されている。
【００１６】
図１中では作像部１０４Ｙのみに符号を付して示しているが，各色の作像部１０４Ｙ，１０４Ｍ，１０４Ｃ，１０４Ｋはいずれも同様の構成である。それぞれ，感光体ドラム１０６とその周囲に配置された帯電装置１０７，露光装置１０８，現像装置１０９，クリーナ装置１１０を有している。また，中間転写ベルト１０１を挟んで感光体ドラム１０６に対向する位置に，１次転写装置１１１が配置されている。
【００１７】
また，図１中で下方に示すのは，シートＰを供給するシート供給部１０である。このシート供給部１０から供給されたシートＰは，搬送経路１１４に沿って上方へ送られるようになっている。搬送経路１１４を挟んで，中間転写ベルト１０１のローラ１０３と対向する位置に，２次転写装置１１５が配置されている。さらに，用紙搬送方向についてその下流側（図中で上方）には，定着装置１２０が配置されている。本形態の定着装置１２０は，加熱ローラ１２１と加圧ローラ１２２とを有している。シート供給部１０については後述する。
【００１８】
本形態のカラープリンタ１００によって，カラー画像を形成する際の動作について簡単に説明する。カラープリンタ１００は，印刷指示を受けるとまず，各色の画像形成部１０４において，それぞれの感光体ドラム１０６を帯電装置１０７によって帯電する。次に，その色の画像データに基づいて，露光装置１０８によって露光することによって静電潜像を形成する。さらに，形成された静電潜像を現像装置１０９によって現像して，感光体ドラム１０６にトナー像を形成する。形成されたトナー像は，順次，１次転写装置１１１によって中間転写ベルト１０１に転写され，重ね合わせられる。
【００１９】
次に，中間転写ベルト１０１に重ね合わせられたトナー像は，搬送経路１１４から搬送されてきたシートＰに，２次転写装置１１５によって転写される。トナー像を担持したシートＰは，さらに搬送されて定着装置１２０に至り，定着装置１２０によって加熱されるとともに加圧される。これによりトナー像がシートＰに定着される。トナー像が定着されたシートＰは，機外に排出される。あるいは，両面印刷の場合は第２面の印刷のために再び機内に引き込まれ，同様に印刷が行われる。
【００２０】
シート供給部１０は，図２に概略平面図を示すように，シートを積載するシートカセット１１と，装着されたシートカセット１１からシートを引き出すためのピックアップローラ１２，分離搬送部２０とを有している。分離搬送部２０は，シートカセット１１の一辺の中央部に，その側面に近接して配置されている。分離搬送部２０は，図２と図３に示すように，分離部２１と給紙ローラ２２とを有している。分離部２１には，分離ローラ２５が回動可能に取りつけられている。そして，分離ローラ２５と給紙ローラ２２とは，互いに対向して平行に配置されている。
【００２１】
シートカセット１１は，シート束を収納できる箱形状であり，装置本体に対して，図２中に矢印Ａで示す向きに挿抜可能なものである。そして，本形態では，シートカセット１１の挿抜方向と，シートの搬送方向とが，互いに交わる方向となっている。例えば，図中手前側が装置正面であり，シートカセット１１はその装置正面から手前側に引き出すことができるようになっている。そして，シートカセット１１に収納されているシートは，ピックアップローラ１２によって分離搬送部２０へ向けて，図中で矢印Ｂの向きに送り出される。以下では，図２中での上下方向を「挿抜方向」，左右方向の右向きを「送り出し方向」と呼ぶ。
【００２２】
図２に示したピックアップローラ１２や分離搬送部２０は，装置本体に設けられているものである。すなわち，シートカセット１１が引き出される際には，これらはシートカセット１１とともに引き出されるのではなく，機内のそのままの位置に残る。このうち，ピックアップローラ１２と分離搬送部２０の給紙ローラ２２との回転軸の位置は，それぞれ装置本体に対して固定されている。
【００２３】
一方，分離部２１中の分離ローラ２５の回転軸は，分離部２１に取り付けられており，機内の位置は完全には固定されていない。ただし，給紙ローラ２２は，回転軸は固定であるものの，ローラ自体はその回転軸に対して軸方向に多少移動可能にされている。その動き方は，後述する分離ローラ２５の動きに準ずるものである。この給紙ローラ２２が回転部材に，分離ローラ２５が分離部材にそれぞれ相当する。そして本形態では，回転部材である給紙ローラ２２が第１送出部材に相当するとともに，分離部材である分離ローラ２５が第２送出部材に相当する。
【００２４】
画像形成時には，シートカセット１１に載置されたシートの上部からシートを１枚ずつ送出する。まず，シート束の上面にピックアップローラ１２が接触して上部のシートを引きだし，その先端部を分離搬送部２０へ送り出す。この段階では送り出されたシートは１枚だけとは限らない。この送られたシートを分離ローラ２５と給紙ローラ２２との間に挟む。そして，分離ローラ２５によって下側のシートの進行を抑制しつつ，上部の１枚のみを給紙ローラ２２によって送り出す。
【００２５】
そのために分離ローラ２５は，少なくとも画像形成時には，図３中で矢印Ｃの向き，すなわち給紙ローラ２２に近接させる向きに付勢されている。そして，シートを挟んでいない状態では，これらの給紙ローラ２２と分離ローラ２５とは互いに接触する。この付勢により，分離ローラ２５と給紙ローラ２２とが適度な圧接力で圧接され，それらの間のニップをシートは図３中で矢印Ｄの向きに搬送される。前述した「送り出し方向」は，より正確には，この矢印Ｄの向きである。そして，この矢印Ｃの向きとその逆向きが接離方向に相当する。
【００２６】
本形態の分離部２１の近傍のみを，図４〜図６に示す。これらの図中で網掛けで示している範囲は，シートカセット１１の一部分である。従って，シートカセット１１の抜き出し時には，それ以外の箇所に対して相対的に移動することになる。なお，これらの図中で，図３の断面図を見る向きと同じ向きは，図４では左下から右上を見る向きであり，図５では右下から左上を見る向き，図６では左から右を見る向きである。なお，図４〜図６では，給紙ローラ２２やピックアップローラ１２は省略している。また，これらの図中で矢印で示した「引き出し方向」は，シートカセット１１を抜き出す方向であり，挿抜方向の前向きのことである。
【００２７】
本形態では，図４〜図６に示すように，装置本体に固定して設けられた取付板３０を有し，この取付板３０に対して，分離部２１の外フレーム３１が取り付けられている。そして，これらの図では，装置本体にシートカセット１１が適切に装着され，動作位置にある状態を示している。ただし，図５では，シートカセット１１を省略して分離部２１のみを示している。さらに，図６では，取付板３０および外フレーム３１を省略して，シートカセット１１と分離部２１との位置関係を仮想的に示している。なお，この図６では，分離ローラ２５は，次に述べる内フレーム３２に隠れて見えない。
【００２８】
本形態の分離部２１は，図４〜図６に示すように，取付板３０に取り付けられている外フレーム３１と，外フレーム３１に対して取り付けられている内フレーム３２とを有している。外フレーム３１には，図４に示すように，挿抜方向に長い長穴３４が形成されている。外フレーム３１は，この長穴３４を介して，取りつけネジ３５によって取付板３０にネジ止めされている。そして，外フレーム３１は，取付板３０に対して，この長穴３４の長さの範囲内で挿抜方向と平行に移動可能となっている。この外フレーム３１が第２フレーム部材に，内フレーム３２が第１フレーム部材にそれぞれ相当する。
【００２９】
さらに，外フレーム３１は，図４に示すように，機内の固定箇所である引っかけ穴３６との間に設けられた引っ張りバネ３７によって，挿抜方向の前向きに付勢されている。その一方で，外フレーム３１の一部分である被係止部３８は，シートカセット１１の一部分である係止部３９に当接している。この引っ張りバネ３７が第１付勢部材に，係止部３９が押し込み操作部にそれぞれ相当する。
【００３０】
この係止部３９により，外フレーム３１は引っ張りバネ３７の付勢力に抗して，挿抜方向の最も奥側の位置に係止されている。そして，この図の配置では，取りつけネジ３５は，長穴３４のうちの挿抜方向の前寄りの位置に配置されている。すなわち，外フレーム３１は，その可動範囲内のうち，挿抜方向について奥寄りの位置に押し込まれている。本形態では，シートカセット１１が適切に取り付けられている状態では，この図に示した配置となる。
【００３１】
また，内フレーム３２には，図５に示すように，分離ローラ２５，圧接解除部４１が設けられている。分離ローラ２５の回転軸は，挿抜方向と平行に，内フレーム３２に対して固定されている。また，内フレーム３２は外フレーム３１に対して挿抜方向と平行に軸支されている。従って，内フレーム３２は，分離ローラ２５の回転軸とともに，外フレーム３１に対して揺動可能となっている。その結果，分離ローラ２５は，外フレーム３１に対して，挿抜方向とシートの送り出し方向とのいずれにも交差する方向（接離方向）に，移動可能となっている。
【００３２】
これにより本形態では，内フレーム３２の配置によって，分離ローラ２５と給紙ローラ２２との位置関係を変えることができる。すなわち，内フレーム３２は，分離ローラ２５が給紙ローラ２２に接触する接触位置と，分離ローラ２５が給紙ローラ２２から離隔した離隔位置との間で移動可能である。本形態では，内フレーム３２は，外フレーム３１に対して，分離ローラ２５を給紙ローラ２２に近接させる向きに付勢するように取り付けられている。一方，内フレーム３２は，挿抜方向と平行な方向については，外フレーム３１に対して互いに移動しない，固定された配置となっている。
【００３３】
また，圧接解除部４１は，図５中で手前側に見える台形形状の解除キー部４３と，その奥側に示す取り付け部４４とが一体的に形成されたものである。取り付け部４４には，挿抜方向に長い長穴４５が形成されている。圧接解除部４１は，この長穴４５を介して，取りつけネジ４６によって内フレーム３２に取り付けられている。従って，圧接解除部４１は，内フレーム３２に対して挿抜方向に，この長穴４５の長さの範囲内で移動可能となっている。
【００３４】
さらに，図５と図６とに示すように，圧接解除部４１と内フレーム３２との間には，引っ張りバネ４８が設けられている。これにより，圧接解除部４１は，内フレーム３２に対して挿抜方向の奥向きに付勢されている。そして，解除キー部４３のうち，図５中で左上側の端部に形成された係止端５１（図６参照）が，取付板３０の係止箇所５２に当接して係止されている。この引っ張りバネ４８が第２付勢部材に，係止端５１がストップ部材にそれぞれ相当する。
【００３５】
その一方で，図４に示したように，外フレーム３１が挿抜方向の最も奥側の位置に係止されているため，取りつけネジ４６は，長穴４５のうちの挿抜方向の奥寄りの位置に配置されている。なお実際には，圧接解除部４１は，挿抜方向については，この図の配置からほとんど移動することはない。
【００３６】
さらに本形態では，図６に示すように，シートカセット１１の側面に解除部５５が形成されている。この解除部５５は，図７に示すように，シートカセット１１の側面から分離部２１の側へ突出した長尺状の凸部であり，図６と図８とに示すように，その両端部は斜面５６，５７となっている。この斜面５６，５７は，解除キー部４３の上面に形成されている斜面５８，５９（図５，図８参照）と同じ向きで同じ程度の傾斜となっている。図６〜図８の配置から，シートカセット１１を引き出す操作を行うと，解除部５５が解除キー部４３に近づき，まず斜面５６と斜面５８とが当接する。そしてさらに引き出すことにより，斜面５６と斜面５８とに沿って，解除部５５によって解除キー部４３が押し下げられる。
【００３７】
前述したように，内フレーム３２は，分離ローラ２５と給紙ローラ２２との接触位置と離隔位置との間で移動可能にされている。従って，シートカセット１１を引き出すと，解除部５５によって解除キー部４３が押し下げられることにより，圧接解除部４１や分離ローラ２５を含んで，内フレーム３２の全体が押し下げられる。この移動方向は，分離ローラ２５と給紙ローラ２２とを離隔する方向である。この圧接解除部４１が圧接解除部材に，解除部５５が離隔操作部にそれぞれ相当する。
【００３８】
なお，図６〜図８は，いずれもシートカセット１１を装着した状態を示しており，解除部５５は，解除キー部４３よりも挿抜方向について奥側に，クリアランス６０だけ離れて配置されている。このクリアランス６０が上述した長穴３４，４５による各部材の移動可能範囲より小さくなるように，各部の大きさは決定されている。すなわち，本形態では，クリアランス６０を超えてシートカセット１１を抜き出せば，分離ローラ２５と給紙ローラ２２とが離隔される。これらのローラ間のニップにシートが挟まれていたとしても，これらのローラが離隔されればシートは解放される。
【００３９】
以上に説明した本形態の構成を，ごく単純化して模式化したものを図９〜図１３に示す。この図９は，シートカセット１１が装着されている状態を示す。外フレーム３１は，取付板３０に対して矢印Ａの向きに付勢され，シートカセット１１の係止部３９に係止されている。分離ローラ２５は，内フレーム３２とともに矢印Ｂの向きに付勢され，給紙ローラ２２に当接している。圧接解除部４１は，内フレーム３２に対して矢印Ｃの向きに付勢され，取付板３０に係止されている。圧接解除部４１と解除部５５との間には，適度なクリアランス６０がある。
【００４０】
このようなものにおいて，例えばジャム等により，分離ローラ２５と給紙ローラ２２との間にシートが挟まれた状態で停止されることがあり得る。そして，図９の配置からシートカセット１１を挿抜方向の前向きに抜き出す場合について説明する。これら図中で，抜き出し動作によって移動することがないのは取付板３０である。そこで，この取付板３０の位置を基準に説明する。
【００４１】
なお，図９〜図１３中には，シートの搬送方向に対する幅方向の中央位置を△マークで示した。シートカセット１１を装着した状態では，シートの幅方向の中央位置が分離ローラ２５と給紙ローラ２２との挿抜方向の中央位置に対向されるようになっている。従って，分離ローラ２５と給紙ローラ２２との間に挟まれているシートの中央位置も，シートカセット１１に収納されているシートと同じく，この位置に配置される。
【００４２】
まず，図９の状態から，クリアランス６０と同程度だけシートカセット１１を抜き出した状態を図１０に示す。図９の配置から図１０の配置となるまでシートカセット１１を移動させることにより，シートカセット１１に設けられている係止部３９と解除部５５とはともに移動する。外フレーム３１は，矢印Ａ方向の付勢力によって，係止部３９の移動に追随し，挿抜方向へ移動する。これにより，内フレーム３２および分離ローラ２５も同じだけ移動する。さらに，本形態では，給紙ローラ２２も分離ローラ２５の移動に追随するように構成されており，ともに移動する。
【００４３】
また，シートカセット１１の移動に伴い，シートカセット１１に収納されているシートやローラに挟まれているシートの後部も移動する。このとき，分離ローラ２５と給紙ローラ２２の移動量は，シートカセット１１の移動量と等しい。すなわち，分離ローラ２５等の間に挟まれたシートの先端部も，これらのローラとともにそのシートの後部と同じだけ移動する。結果として，この挟まれたシートは，先端部も後部も同じ移動をすることになるので，シートに負担をかけることはない。
【００４４】
その一方で，圧接解除部４１は，矢印Ｃ方向（図９参照）の付勢力によって，取付板３０に対して係止されている状態が維持される。従って，図９の状態から図１０の状態までシートカセット１１を移動させても，圧接解除部４１は移動しない。そして，図１０の状態では，解除部５５と圧接解除部４１との間に隙間はほとんど無くなっている。この配置は，図８の斜面５６と斜面５８とが接触する配置である。ここまでの移動によって，クリアランス６０が解消された。
【００４５】
図１０の状態から，シートカセット１１をさらに抜き出すと，図８で説明したように，解除部５５によって圧接解除部４１の解除キー部４３が押し下げられる。この押し下げを図１１中では，右方向への移動で示している。すなわち，解除部５５に押しのけられることによって，圧接解除部４１が押し下げられ，これにより，内フレーム３２と分離ローラ２５とがともに押し下げられる。従って，分離ローラ２５と給紙ローラ２２との間が開いた離隔位置となる。
【００４６】
離隔位置となれば，両ローラ間に挟み込まれていたシートは解放される。図１１の配置では，シートの中央位置が，両ローラの位置とずれているが，既にシートは解放されているので，シートに負担をかけたわけではない。なお，外フレーム３１は，長穴３４（図４参照）の長さだけ移動したら，それ以上移動することはないので，その位置で停止する。その配置を，この図では，図中下側の取付板３０に外フレーム３１が当接した位置で示している。
【００４７】
このままさらに，シートカセット１１を抜き出すとやがて，解除部５５が圧接解除部４１の範囲を通り過ぎる。ここまで進むと，解除部５５に押しのけられることが無くなるので，図１２に示すように，内フレーム３２にかかる付勢力によって，内フレーム３２，圧接解除部４１，分離ローラ２５が，図中で左向きに移動する。すなわち，持ち上げられる。これにより，分離ローラ２５は再び，給紙ローラ２２に対して接触位置に配置される。この時点では，両ローラに挟まれていたシートは，これらの間を既に通り抜けているので，両ローラを圧接しても問題はない。さらにシートカセット１１の抜き出しを継続し，抜き出しきると，図１３に示すように，装置本体側の部材のみが残される。この図では，シートカセット１１は省略している。
【００４８】
次に，シートカセット１１を装着する場合について説明する。まず図１３の配置から，シートカセット１１の先端部を装置本体に差し込み，中程まで挿入する。すると，図８に示した解除部５５が解除キー部４３に対して，図中左側から当接することになる。すなわち，斜面５７が斜面５９に当接し，解除キー部４３を押し下げる。これが，図１２の配置である。シートカセット１１をこの図中で下から上向きに押し込むことにより，解除部５５が圧接解除部４１を押し下げるので，図１１の配置となる。
【００４９】
そのまま挿入を続けると，各部材が図１１に示した各矢印の逆向きに移動し，図１０の状態まで挿入される。この位置では，解除キー部４３と解除部５５との噛み合いは外れて，圧接解除部４１が持ち上がっている。これにより，分離ローラ２５が給紙ローラ２２に接触する。また，シートカセット１１の係止部３９が外フレーム３１に当接する。さらに，挿入し続けると，シートカセット１１の係止部３９によって，外フレーム３１を，そのの付勢力（図９中の矢印Ａ方向）に抗して押し込むことになる。一方，圧接解除部４１は，取付板３０に当接した位置に維持される。従って，外フレーム３１と圧接解除部４１とが互いに近接し，図９に示した装着状態となる。この位置で，画像形成動作が可能である。
【００５０】
以上詳細に説明したように本形態のカラープリンタ１００は，シートカセット１１を抜き出す向きとシートを送り出す向きとが互いに直交しているシート供給部１０を有する装置である。そして，シートカセット１１の引き出し動作に伴って外フレーム３１，内フレーム３２および分離ローラ２５がともに，可動範囲内で挿抜方向へ移動する。この可動範囲は，シートカセット１１に形成された解除部５５が分離部２１の解除キー部４３を押し下げて，分離ローラ２５に挟まれているシートを解放するまでのクリアランス量より大きい。従って，少なくともシートが解放されるまでは，分離ローラ２５やそれに挟まれているシートがシートカセット１１の移動に追随して移動する。
【００５１】
本形態では，挿抜方向と平行に移動可能な外フレーム３１に対して，接離方向に移動可能な内フレーム３２が取り付けられているので，これらの各方向の移動をそれぞれ別々にあるいは同時に行ういずれの場合においても，確実で容易に移動させることができる。ただし，内フレーム３２自体を挿抜方向にも移動可能とするとともに，シートカセット１１に形成される係止部（係止部３９に代わるもの）を，内フレーム３２の側面に接触させて係止させることも可能である。このようにすれば，外フレーム３１は無くてもよい。その場合には，係止部と内フレーム３２とが接触したまま接離方向へ移動することになるので，これらの接触箇所における滑りがよいものとすることが望ましい。
【００５２】
また，本形態の圧接解除部４１は，内フレーム３２に取り付けられ，内フレーム３２に対して挿抜方向と平行に移動可能であるとともに，取付板３０の係止箇所５２によって移動範囲が制限されているものとした。このようにすることにより，内フレーム３２の接離方向への移動を確実に行うことができるとともに，シートカセット１１の装着が容易なものとなる。しかし，この圧接解除部４１を，装置本体に直接取り付けるようにすることも可能である。その場合には，内フレーム３２の挿抜方向への移動には関わらず，接離方向の移動だけを行うようにしてもよい。このようにすれば，引っ張りバネ４８（第２付勢部材）は無くてもよい。
【００５３】
また，圧接解除部４１を内フレーム３２または外フレーム３１に直接取り付ける構成とすることもできる。ただし，その場合には，これらが挿抜方向と平行に移動できる範囲が制限されている必要がある。本形態では例えば，長穴３４によって外フレーム３１の移動範囲が制限されている。あるいは，引っ張りバネ３７の伸びしろには限界があるので，それによって移動範囲が制限されるものとしてもよい。この場合には，ストップ部材に相当するものを特に設ける必要はない。
【００５４】
ユーザは，単にシートカセット１１を引き出す動作を行うだけでよい。それだけで，分離ローラ２５がシートカセット１１とともに移動するので，クリアランスを吸収して，シートに負担をかけることなく抜き出すことができる。従って，シートカセットの挿抜操作が容易であるとともに，緊急停止時のシートカセットの抜き出し動作によってもシートに負荷をかけるおそれのない装置となっている。
【００５５】
なお，本形態は単なる例示にすぎず，本発明を何ら限定するものではない。したがって本発明は当然に，その要旨を逸脱しない範囲内で種々の改良，変形が可能である。
例えば，分離部材は分離ローラに限らず，分離パッド等の回転しない部材でもよい。また，本形態では，分離ローラ２５が接離方向に移動可能であるとしたが，給紙ローラを移動させてシートを解放することもできる。その場合には，給紙ローラを分離ローラへ向けて圧接させておくとともに，シートカセットの挿抜動作によって給紙ローラを押し上げることのできる構成とすればよい。例えば，シートの搬送経路より奥側を介してシートカセットと接触し，給紙ローラの回転軸を離隔位置へ移動させるようなフレーム部材を設けることとすればよい。
【００５６】
また，例えば画像形成部としては，上述のものに限らず既知の各種の構成を用いることができる。電子写真方式でも４サイクル型でもよいし，液体状の色材を用いる画像形成装置にも適用できる。また，プリンタに限らず，コピー機，ＦＡＸ，複合機等に広く適用可能なことは言うまでもない。
【符号の説明】
【００５７】
１０  シート供給部
１１  シートカセット
２２  給紙ローラ
２５  分離ローラ
３１  外フレーム
３２  内フレーム
３７  引っ張りバネ
３９  係止部
４１  圧接解除部
４８  引っ張りバネ
５１  係止端
５５  解除部
１００  カラープリンタ
２００  画像形成部
【図１】
0005533514.tif 000002
【図２】
0005533514.tif 000003
【図３】
0005533514.tif 000004
【図４】
0005533514.tif 000005
【図５】
0005533514.tif 000006
【図６】
0005533514.tif 000007
【図７】
0005533514.tif 000008
【図８】
0005533514.tif 000009
【図９】
0005533514.tif 000010
【図１０】
0005533514.tif 000011
【図１１】
0005533514.tif 000012
【図１２】
0005533514.tif 000013
【図１３】
0005533514.tif 000014